【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】特許請求の範囲
【補正方法】変更
【補正の内容】
【特許請求の範囲】
【請求項１】記録媒体に対して記録を行い、記録後の記録媒体を定着手段によって加熱加圧して該記録媒体を定着化させる記録装置において、
前記定着手段は、
前記記録媒体の搬入側に配置される加熱ローラと、
前記記録媒体の搬出側に配置される出口ローラと、
前記加熱ローラと前記出口ローラとに亘って掛け渡された定着ベルトと、
前記定着ベルトを挟んで前記加熱ローラに向けて圧接する加圧ローラと、
前記定着ベルトの寄りを検知する寄り検知手段と、
前記寄り検知手段による前記定着ベルトの寄り検知に基づいて前記出口ローラのねじり量を調整する出口ローラねじり量調整手段とを有することを特徴とする記録装置。
【請求項２】前記出口ローラねじり量調整手段は、加熱ローラと出口ローラとの軸間距離をＬ（ｍｍ）、記録媒体幅をｗ（ｍｍ）、記録媒体幅端部におけるねじり量をｙ１（ｍｍ）とするとき、ｙ１／ｗ／Ｌを１×１０-5〜１×１０-3とすることを特徴とする請求項１記載の記録装置。
【請求項３】前記出口ローラねじり量調整手段は、記録媒体幅をｗ（ｍｍ）、記録媒体幅端部におけるねじり量をｙ１（ｍｍ）、ねじり量変更所要時間をｔ（ｓｅｃ）とするとき、ｙ１／ｗ／ｔを０．００３〜０．３とすることを特徴とする請求項１又は２記載の記録装置。
【請求項４】記録媒体に対して記録を行い、記録後の記録媒体を定着手段によって加熱加圧して該記録媒体を定着化させる記録装置において、
前記定着手段は、
前記記録媒体の搬入側に配置される加熱ローラと、
前記記録媒体の搬出側に配置される出口ローラと、
前記加熱ローラと前記出口ローラとに亘って掛け渡された定着ベルトと、
前記定着ベルトを挟んで前記加熱ローラに向けて圧接する加圧ローラと、
前記定着ベルトの寄りを検知する寄り検知手段と、
前記寄り検知手段による定着ベルトの寄り検知に基づいて前記加圧ローラのねじり量を調整する加圧ローラねじり量調整手段とを有することを特徴とする記録装置。
【請求項５】前記加圧ローラねじり量調整手段は、加熱ローラと加圧ローラとの間のニップ幅をｄ（ｍｍ）、記録媒体幅端部におけるねじり量をｙ２（ｍｍ）とするとき、ｙ２／ｄを０．１〜５とすることを特徴とする請求項４記載の記録装置。
【請求項６】前記加圧ローラねじり量調整手段は、定着ベルトの線速をｖ（ｍｍ／ｓ）、記録媒体幅端部におけるねじり量をｙ２（ｍｍ）、ねじり量変更所要時間をｔ（ｓｅｃ）とするとき、ｙ２／ｖ／ｔを０．２〜７とすることを特徴とする請求項４又は５記載の記録装置。
【請求項７】記録媒体に対して記録を行い、記録後の記録媒体を定着手段によって加熱加圧して該記録媒体を定着化させる記録装置において、
前記定着手段は、
前記記録媒体の搬入側に配置される加熱ローラと、
前記記録媒体の搬出側に配置される出口ローラと、
寄り調整ローラと、
前記加熱ローラ、前記出口ローラ及び前記寄り調整ローラを内側に含んでそれぞれに亘って掛け渡された定着ベルトと、
前記定着ベルトを挟んで前記加熱ローラに向けて圧接する加圧ローラと、
前記定着ベルトの寄りを検知する寄り検知手段と、
前記寄り検知手段による前記定着ベルトの寄り検知に基づいて前記寄り調整ローラのねじり量を調整する寄り調整ローラねじり量調整手段とを有することを特徴とする記録装置。
【請求項８】前記加熱ローラと前記加圧ローラとの間のニップ圧を、０．１ＭＰａ〜２ＭＰａとすることを特徴とする請求項１〜７のいずれかに記載の記録装置。
【請求項９】前記定着ベルトは、ニッケル電鋳にフッ素系樹脂、パーフルオロアルコキシアルカン又は硬化型シリコンのいずれかを塗布してなることを特徴とする請求項１〜８のいずれかに記載の記録装置。
【請求項１０】前記記録ヘッドは、前記記録媒体にインクを噴射してインクジェット記録を行う記録ヘッドであることを特徴とする請求項１〜９のいずれかに記載の記録装置。
【請求項１１】前記インクは顔料インクであることを特徴とする請求項１０記載の記録装置。
【請求項１２】前記記録媒体は熱可塑性樹脂粒子を有し、前記定着手段は、該記録媒体の熱可塑性樹脂粒子の定着を行うことを特徴とする請求項１０又は１１記載の記録装置。
【手続補正３】
【補正対象書類名】明細書
【補正対象項目名】０００１
【補正方法】変更
【補正の内容】
【０００１】
【発明の属する技術分野】
本発明は、熱可塑性樹脂粒子を有する記録媒体に対してインクを噴射して記録を行い、記録後の記録媒体を定着手段によって加熱加圧して該記録媒体の熱可塑性樹脂粒子を定着化させるようにしたインクジェット記録装置等の記録装置に関する。
【手続補正４】
【補正対象書類名】明細書
【補正対象項目名】０００８
【補正方法】変更
【補正の内容】
【０００８】
【発明が解決しようとする課題】
そこで、本発明の課題は、定着手段として定着ベルトを有する記録装置において、定着ベルトの斜行に起因する定着ベルト表面からの記録媒体の剥離を防止し、記録媒体の定着ムラをなくして均一な定着を行うことによりムラのない高品質の画像プリントを得ることができるようにすることにある。
【手続補正５】
【補正対象書類名】明細書
【補正対象項目名】００１０
【補正方法】変更
【補正の内容】
【００１０】
請求項１記載の発明は、記録媒体に対して記録を行い、記録後の記録媒体を定着手段によって加熱加圧して該記録媒体を定着化させる記録装置において、前記定着手段は、前記記録媒体の搬入側に配置される加熱ローラと、前記記録媒体の搬出側に配置される出口ローラと、前記加熱ローラと前記出口ローラとに亘って掛け渡された定着ベルトと、前記定着ベルトを挟んで前記加熱ローラに向けて圧接する加圧ローラと、前記定着ベルトの寄りを検知する寄り検知手段と、前記寄り検知手段による前記定着ベルトの寄り検知に基づいて前記出口ローラのねじり量を調整する出口ローラねじり量調整手段とを有することを特徴とする記録装置である。
【手続補正６】
【補正対象書類名】明細書
【補正対象項目名】００１１
【補正方法】変更
【補正の内容】
【００１１】
請求項２記載の発明は、前記出口ローラねじり量調整手段は、加熱ローラと出口ローラとの軸間距離をＬ（ｍｍ）、記録媒体幅をｗ（ｍｍ）、記録媒体幅端部におけるねじり量をｙ１（ｍｍ）とするとき、ｙ１／ｗ／Ｌを１×１０-5〜１×１０-3とすることを特徴とする請求項１記載の記録装置である。
【手続補正７】
【補正対象書類名】明細書
【補正対象項目名】００１２
【補正方法】変更
【補正の内容】
【００１２】
請求項３記載の発明は、前記出口ローラねじり量調整手段は、記録媒体幅をｗ（ｍｍ）、記録媒体幅端部におけるねじり量をｙ１（ｍｍ）、ねじり量変更所要時間をｔ（ｓｅｃ）とするとき、ｙ１／ｗ／ｔを０．００３〜０．３とすることを特徴とする請求項１又は２記載の記録装置である。
【手続補正８】
【補正対象書類名】明細書
【補正対象項目名】００１３
【補正方法】変更
【補正の内容】
【００１３】
請求項４記載の発明は、記録媒体に対して記録を行い、記録後の記録媒体を定着手段によって加熱加圧して該記録媒体を定着化させる記録装置において、前記定着手段は、前記記録媒体の搬入側に配置される加熱ローラと、前記記録媒体の搬出側に配置される出口ローラと、前記加熱ローラと前記出口ローラとに亘って掛け渡された定着ベルトと、前記定着ベルトを挟んで前記加熱ローラに向けて圧接する加圧ローラと、前記定着ベルトの寄りを検知する寄り検知手段と、前記寄り検知手段による定着ベルトの寄り検知に基づいて前記加圧ローラのねじり量を調整する加圧ローラねじり量調整手段とを有することを特徴とする記録装置である。
【手続補正９】
【補正対象書類名】明細書
【補正対象項目名】００１４
【補正方法】変更
【補正の内容】
【００１４】
請求項５記載の発明は、前記加圧ローラねじり量調整手段は、加熱ローラと加圧ローラとの間のニップ幅をｄ（ｍｍ）、記録媒体幅端部におけるねじり量をｙ２（ｍｍ）とするとき、ｙ２／ｄを０．１〜５とすることを特徴とする請求項４記載の記録装置である。
【手続補正１０】
【補正対象書類名】明細書
【補正対象項目名】００１５
【補正方法】変更
【補正の内容】
【００１５】
請求項６記載の発明は、前記加圧ローラねじり量調整手段は、定着ベルトの線速をｖ（ｍｍ／ｓ）、記録媒体幅端部におけるねじり量をｙ２（ｍｍ）、ねじり量変更所要時間をｔ（ｓｅｃ）とするとき、ｙ２／ｖ／ｔを０．２〜７とすることを特徴とする請求項４又は５記載の記録装置である。
【手続補正１１】
【補正対象書類名】明細書
【補正対象項目名】００１６
【補正方法】変更
【補正の内容】
【００１６】
請求項７記載の発明は、記録媒体に対して記録を行い、記録後の記録媒体を定着手段によって加熱加圧して該記録媒体を定着化させる記録装置において、前記定着手段は、前記記録媒体の搬入側に配置される加熱ローラと、前記記録媒体の搬出側に配置される出口ローラと、寄り調整ローラと、前記加熱ローラ、前記出口ローラ及び前記寄り調整ローラを内側に含んでそれぞれに亘って掛け渡された定着ベルトと、前記定着ベルトを挟んで前記加熱ローラに向けて圧接する加圧ローラと、前記定着ベルトの寄りを検知する寄り検知手段と、前記寄り検知手段による前記定着ベルトの寄り検知に基づいて前記寄り調整ローラのねじり量を調整する寄り調整ローラねじり量調整手段とを有することを特徴とする記録装置である。
【手続補正１２】
【補正対象書類名】明細書
【補正対象項目名】００１７
【補正方法】変更
【補正の内容】
【００１７】
請求項８記載の発明は、前記加熱ローラと前記加圧ローラとの間のニップ圧を、０．１ＭＰａ〜２ＭＰａとすることを特徴とする請求項１〜７のいずれかに記載の記録装置である。
【手続補正１３】
【補正対象書類名】明細書
【補正対象項目名】００１８
【補正方法】変更
【補正の内容】
【００１８】
請求項９記載の発明は、前記定着ベルトは、ニッケル電鋳にフッ素系樹脂、パーフルオロアルコキシアルカン又は硬化型シリコンのいずれかを塗布してなることを特徴とする請求項１〜８のいずれかに記載の記録装置である。
【手続補正１４】
【補正対象書類名】明細書
【補正対象項目名】００１９
【補正方法】変更
【補正の内容】
【００１９】
請求項１０記載の発明は、前記記録ヘッドは、前記記録媒体にインクを噴射してインクジェット記録を行う記録ヘッドであることを特徴とする請求項１〜９のいずれかに記載の記録装置である。
請求項１１記載の発明は、前記インクは顔料インクであることを特徴とする請求項１０記載の記録装置である。
請求項１２記載の発明は、前記記録媒体は熱可塑性樹脂粒子を有し、前記定着手段は、該記録媒体の熱可塑性樹脂粒子の定着を行うことを特徴とする請求項１０又は１１記載の記録装置である。
【手続補正１５】
【補正対象書類名】明細書
【補正対象項目名】０１０６
【補正方法】変更
【補正の内容】
【０１０６】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
なお、以上の説明では、熱可塑性樹脂粒子を有する記録媒体に対して記録ヘッドからインクを噴射してインクジェット記録を行い、記録後の記録媒体を定着手段によって加熱加圧して該記録媒体の熱可塑性樹脂粒子を定着させるインクジェット記録装置を例示したが、本発明はこれに限らず、記録媒体に対して記録を行い、記録後の記録媒体を定着手段によって加熱加圧して該記録媒体を定着させる記録装置であれば適用可能である。
【手続補正１６】
【補正対象書類名】明細書
【補正対象項目名】０１１９
【補正方法】変更
【補正の内容】
【０１１９】
【発明の効果】
本発明によれば、定着手段として定着ベルトを有する記録装置において、定着ベルトの斜行に起因する定着ベルト表面からの記録媒体の剥離を防止し、記録媒体の定着ムラをなくして均一な定着を行うことによりムラのない高品質の画像プリントを得ることができる。